(57)【要約】【課題】知能が高く警戒心の強いクマネズミであっても、その習性を利用して、確実に捕獲することのできるネズミ捕獲シートを提供する。【解決手段】粘着剤２が塗布された基板１と、粘着剤２上及び縁部１１上に複数設けられた突起部３を備えた。クマネズミが突起部３の先端部３ａを足で掴んで進行することで、平衡バランスを不安定な状態とする。平衡バランスが不安定な際に、尻尾でバランスを保つというクマネズミの特性を生かし、バランスを保つために上下左右に動かした尻尾（とくに尾先）を粘着剤２に当接させ、捕獲率を向上させた。【選択図】  図１
0003226442.tif 000002
【実用新案登録請求の範囲】
【請求項１】
基板に粘着剤部と縁部を設け、前記粘着剤部上および前記縁部上に突起部を剣山状に設けられたことを特徴とするネズミ捕獲シート。
【請求項２】
前記基板の中央部には、前記基板を折り畳み可能にするための少なくとも２つの折畳線が形成されていることを特徴とする請求項１に記載のネズミ捕獲シート。
【請求項３】
前記突起部が、円錐形であることを特徴とする請求項１又は請求項２に記載のネズミ捕獲シート。
【考案の詳細な説明】
【技術分野】
【０００１】
本考案は、ネズミを捕獲するために用いられるネズミ捕獲シートに関する。
【背景技術】
【０００２】
従来、ネズミ捕獲具としては、ばね力を利用してネズミを挟んで捕獲する、あるいはネズミが餌を取ることにより、扉が遮蔽して閉じ込めるなどの機械的要素を有する捕獲器、あるいは粘着シートに接着させて捕獲するネズミ捕獲シートがある。とくにネズミ捕獲シートは、機械的要素を有する捕獲器と比べて低コスト、かつ簡易に設置できるため、ネズミ捕獲器として多く使用されている。
【０００３】
このようなネズミ捕獲シートは、板状部材に粘着剤を塗布した粘着層を設け、粘着層にネズミを粘着させて捕獲するものが知られており、捕獲効率を向上させるために種々の提案がなされている。
【０００４】
例えば、特許文献１には、折り目を付けて蛇腹状（アコーディオン状）に形成した台紙の表面に粘着剤を塗布したものが開示されている。また、特許文献２には、基板に浮動可能に載置されると共に、少なくとも１点で基板に連結された浮動シートの表面に粘着層を設けたもの、特許文献３には、粘着剤を塗布した凸部を、凸部を外側に向けて台紙に貼り付けたものが開示されている。
【０００５】
しかしながら、ネズミの種類の中でも、クマネズミは、ハツカネズミやドブネズミと共にイエネズミと称され、ハツカネズミやドブネズミと比べて知能が高く、高い学習能力や危険を察知する力を備えている。また、クマネズミは、警戒心が非常に強く、粘着シート上に足を一歩踏み入れる、又は髭や鼻先が粘着シートに当接すると同時に、異常を感じとり退避行動をとる。とくに足裏は、ホコリ、水、又は油などが付着しているため、粘着力が弱く退避され易かった。また、腹部などの体毛がある部位は、体毛が抜ける、又は千切れることで退避され易かった。したがって、粘着シートに触れる部位が、足裏又は体毛を有する部位である場合には退避され易く、上記特許文献１〜３に開示されているネズミ捕獲シートでは、クマネズミを捕獲することは困難であった。
【０００６】
そこで、本考案者は、粘着剤が塗布された基板と、粘着剤上に複数設けられた突起部を有するネズミ捕獲シートを発明し、尻尾を粘着させることで、捕獲率を向上させた（特許文献４参照）。
【先行技術文献】
【特許文献】
【０００７】
【特許文献１】実公昭５９−０２９４９１号公報
【特許文献２】実用新案登録番号第２５５２８１３号公報
【特許文献３】特開２００２−９５４０１号公報
【特許文献４】特開２０１７−１３９９９８号公報
【考案の概要】
【考案が解決しようとする課題】
【０００８】
ネズミの種類の中でも、クマネズミは、ハツカネズミやドブネズミと共にイエネズミと称され、ハツカネズミやドブネズミと比べて知能が高く、高い学習能力や危険を察知する力を備えている。また、クマネズミは、警戒心が非常に強く、粘着シート上に足を一歩踏み入れる、又は髭や鼻先が粘着シートに当接すると同時に、異常を感じとり退避行動をとる。とくに足裏は、ホコリ、水、又は油などが付着しているため、粘着力が弱く退避され易かった。また、腹部などの体毛がある部位は、体毛が抜ける、又は千切れることで退避され易かった。したがって、粘着シートに触れる部位が、足裏又は体毛を有する部位である場合には退避され易く、上記特許文献１〜３に開示されているネズミ捕獲シートでは、クマネズミを捕獲することは困難であった。
【０００９】
また、本考案者が、クマネズミの特性を鋭意研究した結果、樹上などの高所や足場の悪い環境を走る際に、バランスを保つ目的で尻尾を上下左右に動かしながら走る習性をもつ点、クマネズミの尻尾は、無毛でその尾長は体長とほぼ同じ長さであるため、尻尾を粘着させることで、粘着シートからの退避率が低下する点を見出し、上記特許文献４による捕獲シートで捕獲率を向上させたものの、クマネズミは、尻尾が粘着シートに触れないよう突起部の設けられていない縁部を走ることが判明した。
【００１０】
本考案は、上記の問題点に鑑みなされたもので、より確実にクマネズミ尻尾を粘着させ、捕獲率を向上させるネズミ捕獲シートを提供することを目的とする。
【課題を解決するための手段】
【００１１】
このため本考案のネズミ捕獲シートは、基板に粘着剤部と縁部を設け、前記粘着剤部上および前記縁部上に先鋭な突起部を剣山状に設けたことを第１の特徴とする。また、前記基板の中央部には、前記基板を折り畳み可能にするための少なくとも２つの折畳線が形成されていることを第２の特徴とする。さらに、前記突起部が、円錐形であることを特徴ことを第３の特徴とする。
【考案の効果】
【００１２】
以上のように構成した本考案のネズミ捕獲シートは、以下の優れた効果を有する。
（１）粘着剤並びに縁上に複数の突起部を設けているため、クマネズミが捕獲シート上を通過する際に、確実に突起部を掴ませることができる。それにより平衡バランスを保つために上下左右に動かした尻尾が粘着剤に当接し、確実に捕獲することができる。
（２）接触面が多く、無毛な尻尾を接着させることで、クマネズミがネズミ捕獲シートから退避し難くさせ、捕獲率を向上させることができる。
【図面の簡単な説明】
【００１３】
【図１】本考案に係るネズミ捕獲シートを示す斜視図である。
【図２】図１のネズミ捕獲シートを示す（Ａ）が平面図、（Ｂ）が側面図である。
【考案を実施するための形態】
【００１４】
以下、本考案を実施するための最良の形態を、図面に示す実施例に基づいて説明する。図１は本考案に係るネズミ捕獲シートを示す斜視図であり、図２は図１のネズミ捕獲シートを示す（Ａ）が平面図、（Ｂ）が側面図である。図１に示すように、ネズミ捕獲シートは、矩形状に形成された基板１と、基板１の上面に塗布された粘着剤２と、粘着剤２上に設けられた複数の突起部３から構成されている。基板１の各縁部１１は、粘着剤２が流出することを防止するため、粘着剤２よりも高く形成されている。縁部１１には、粘着剤２が塗布されず、無塗布部分とされている。基板１の上面側には、粘着剤２上および各縁部１１上に複数の突起部３が設けられている。
【００１５】
基板１の材質は、特に限定されるものではないが、例えばプラスチック等の樹脂、耐水紙やコートボール等の紙、木材、金属など種々の材質を用いることができ、所定の厚みを有し、平板状を保持することができる素材であれば、何れでも使用することができる。また、基板１は、矩形状に形成されているが、平板状であれば良く、例えば円形、三角形、いずれの形状に形成しても良い。基板１は、図２に示すように、長辺方向に対して垂直な２本の平行な折り目１２ａ，１２ｂによって左面部１ａ、ヒンジ部１ｂ、及び右面部１ｃの３区画に分けられており、基板１が、粘着剤２を内側として二つ折りとなるよう構成されている。
【００１６】
粘着剤２の材質は、特に限定されるものではないが、例えばゴム系粘着剤、アクリル系粘着剤、シリコーン系粘着剤、ウレタン系粘着剤などが挙げられ、種々の材質を用いることができる。また、粘着剤２に、一般にネズミ等の小動物の捕獲用に用いられている任意の誘引剤を併用して用いても良い。
【００１７】
粘着剤２の上面および縁部１１の上面には、複数の突起部３が剣山状に立設されている。突起部３は、その高さＨが５ｍｍ〜８ｍｍの円錐体で、図２に示すように、隣り合う突起部３同士が、１０ｍｍ〜１５ｍｍ程度の間隔Ｗとなるよう複数設けられている。突起部３は、図示した円錐体のほか、例えば、角錐体や円柱、角柱などの柱体でも良く、長軸状に形成され、その先端部をクマネズミが足で掴むことができるようなサイズ、素材、形状であれば、特に限定されるものではない。突起部３を設ける意義は、クマネズミの平衡バランスが不安定な状態で粘着シート上を通過させ、クマネズミが姿勢を保とうと、尻尾を下げる態勢にさせる点にある。そのため、複数の突起部３の高さＨを一様とするほか、複数の突起部３の高さＨを不揃いに形成しても良い。また、クマネズミの尻尾は、根元直径が約１０〜１５ｍｍであり、その形状は、尻尾先端に向かって徐々に縮径しているため、突起部３同士の間隔Ｗを１０〜１５ｍｍとすることで、尻尾が突起部３に掛かることなく、粘着剤２に当接させることが可能となる。
【００１８】
複数の突起部３の配置は、とくに限定されるものではないが、上述したように、基板１が折り畳み可能とされている点から、基板１を折り畳んだ際に突起部３同士が干渉しないよう配置されていることが好ましい。また、本考案の図１及び図２においては、突起部３同士の間隔が一定に描かれてない箇所もあるが、本考案の要旨は、基板１上（粘着剤２上および縁部１１上）に、基板１上は折り畳み可能となるように突起部３を剣山状に設けた点であり、本考案は図示した例に限定されるものではない。
【符号の説明】
【００１９】
１      基板
１ａ    左面部
１ｂ    ヒンジ部
１ｃ    右面部
１１    縁部
１２ａ  折り目
１２ｂ  折り目
２      粘着剤
３      突起部
３ａ    先端部
【図１】
0003226442.tif 000003
【図２】
0003226442.tif 000004